(57)【要約】【課題】  電子商取引におけるサービスとして、ノベルティ（販売促進用の贈答品、おまけ）を顧客に付与すると同時に、顧客が煩雑な手続や無用な個人情報開示を経ることなく、平易な操作でそれらのノベルティを任意に取得できる方法を提供する。【解決手段】  電子商取引サービスの会員を対象にノベルティを付与する手段を設けるとともに、会員データベースを用いてユーザ認証された会員である顧客にノベルティの存在を通知する手段と、該顧客にノベルティの抄録をユーザ端末に提供する手段と、該ノベルティの取得権限を与える手段とを有し、顧客が取得権利を得たノベルティの取得方法を本電子商取引サイトの有償商品を購入した場合の取得方法と同等とすることにより、顧客の利便性を図った電子商取引サービスのサーバ装置、及びノベルティ配布サーバ装置。【選択図】図１６
2013047928.tif 000002
【特許請求の範囲】
【請求項１】
会員端末からネットワークを通じたリクエストを受付けて、対応する情報を返信する送受信手段と、
ノベルティの取得権利を付与された会員識別子と、ノベルティを特定する識別子と、受け取り有効期限と、を１件のレコードとして記録するノベルティ付与情報を記録保持する記憶手段と、
ノベルティの付与を受入れた会員の会員識別子と対象ノベルティの識別子とを含む情報を１件のレコードとして記録するノベルティ利用権利情報を記録保持する記憶手段と、
会員毎の、認証情報と、これまでに購入した商品の情報、を記録した会員データベースを記録保持する記憶手段と、
会員データベースを管理し、ユーザ認証を行う会員情報管理手段と、
ユーザ認証された会員端末に対して前記ノベルティ付与情報を参照して、当該会員に取得権利が付与されたノベルティの存在を通知する手段と、
会員端末のリクエストに応えて、前記ノベルティ付与情報を参照して、ノベルティの抄録を会員端末に提供するノベルティ受取手段と、
会員端末におけるノベルティ受入れの選択によって、ノベルティ利用権利情報を更新するノベルティ登録手段と、
会員端末のリクエストに応えて、会員データベースおよびノベルティ利用権利情報を参照して、購入済コンテンツおよび利用権利取得済ノベルティのリストを提供するダウンロードリスト作成手段と、
会員端末における選択により、ダウンロードリストから選択されたノベルティを会員に提供する手段と、
を備えた、電子ノベルティ付与機能を備えた書店サーバ装置。
【請求項２】
ノベルティの取得権利を付与された電子商取引の会員識別子と、ノベルティを特定する識別子と、受け取り有効期限と、を１件のレコードとして記録するノベルティ付与情報を記録保持する記憶手段と、
ノベルティの付与を受入れた会員の電子商取引の会員識別子と対象ノベルティの識別子とを含む情報を１件のレコードとして記録するノベルティ利用権利情報を記録保持する記憶手段と、
外部装置からの、会員識別子を伴う照会問合せに対して、該会員が取得可能なノベルティが存在する場合は、取得可能なノベルティのノベルティ識別子リストを含む情報を、存在しない場合は存在しない旨の情報を返信するノベルティ照会手段と、
外部装置からの、会員識別子およびノベルティの識別子を含んだ受領リクエストに応じて、指定されたノベルティに関する１件のノベルティ利用権利情報レコードを生成し、指定されたノベルティに関するノベルティ付与情報レコードを削除して、ノベルティ付与完了情報を返信するノベルティ取得手段と、
を備えたノベルティ配布サーバ装置。
【請求項３】
前記ノベルティ照会手段が該会員が既に取得済のノベルティに関する情報をも併せて返信する、請求項２に記載のノベルティ配布サーバ装置。
【請求項４】
外部装置からのノベルティの識別子を含んだダウンロード先問い合わせに応じて、指定されたノベルティのダウンロード先アドレスを返信する手段を備える、請求項２に記載のノベルティ配布サーバ装置。
【請求項５】
電子商取引サービス管理者端末からの、対象会員リストおよび所定のノベルティ配布条件情報を含んだノベルティ付与情報更新リクエストに応じて、前記ノベルティ付与情報を更新するノベルティ配布手段を更に備えたことを特徴とする、請求項２に記載のノベルティ配布サーバ装置。
【請求項６】
ノベルティの取得権利を付与された電子商取引の会員識別子と、電子商取引のサービス主体の識別子と、ノベルティを特定する識別子と、受け取り有効期限と、を１件のレコードとして記録するノベルティ付与情報を、記録保持する記憶手段と、
ノベルティの付与を受入れた会員の電子商取引の会員識別子と、電子商取引のサービス主体の識別子と、対象ノベルティの識別子とを含む情報を１件のレコードとして記録するノベルティ利用権利情報を記録保持する記憶手段と、
外部装置からの、電子商取引のサービス主体の識別子および会員識別子を伴う照会問合せに対して、該会員が取得可能なノベルティが存在する場合は、取得可能なノベルティのノベルティ識別子リストを含む情報を、存在しない場合は存在しない旨の情報を返信するノベルティ照会手段と、
外部装置からの、電子商取引のサービス主体の識別子と会員識別子およびノベルティの識別子を含んだ受領リクエストに応じて、指定されたノベルティに関する１件のノベルティ利用権利情報レコードを生成し、指定されたノベルティに関するノベルティ付与情報レコードを削除して、ノベルティ付与完了情報を返信するノベルティ取得手段と、
を備えたノベルティ配布サーバ装置。
【請求項７】
前記ノベルティ照会手段が該会員が既に取得済のノベルティに関する情報をも併せて返信する、請求項６に記載のノベルティ配布サーバ装置。
【請求項８】
外部装置からのノベルティの識別子を含んだダウンロード先問い合わせに応じて、指定されたノベルティのダウンロード先アドレスを返信する手段を備える、請求項６に記載のノベルティ配布サーバ装置。
【請求項９】
電子商取引サービス管理者端末からの、電子商取引のサービス主体の識別子と対象会員リストおよび所定のノベルティ配布条件情報を含んだノベルティ付与情報更新リクエストに応じて、前記ノベルティ付与情報を更新するノベルティ配布手段を更に備えたことを特徴とする、請求項６に記載のノベルティ配布サーバ装置。
【請求項１０】
請求項２から請求項５のいずれか１項に記載のノベルティ配布サーバ装置をネットワークを介して使用するサーバ装置であって、
会員端末からネットワークを通じたリクエストを受付けて、対応する情報を返信する初期画面作成手段と、
会員端末のリクエストに応えて、前記ノベルティ配布サーバ装置に対して会員識別子を含んだ照会問合せを行い、取得可能なノベルティが存在する場合は取得可能なノベルティ識別子リストを取得して、このリストの存在と購入済コンテンツのリストに基づいて、当該会員に取得権利が付与されたノベルティの存在を通知するタグを含むダウンロードリスト画面データを作成して、会員端末に返信するダウンロードリスト作成手段と、
会員端末の前記ノベルティの存在を通知するタグの選択に基づいたリクエストに応えて、前記ノベルティ配布サーバ装置から得たノベルティの識別子リストに基づいて、ノベルティ受取画面データ作成して会員端末に提供するノベルティ受取手段と、
会員端末におけるノベルティ受入れの選択によって、前記ノベルティ配布サーバ装置に対して会員識別子およびノベルティの識別子を含んだ受領リクエストを発信し、指定されたノベルティの付与完了情報を受けると、ノベルティの識別子に対応するコンテンツのダウンロードシーケンスを開始させるアドレス情報を含んだダウンロードリスト画面データを会員端末に返信するノベルティ登録手段と、
電子商取引の管理者による所定のノベルティ配布条件の入力により、該ノベルティ配布対象会員を抽出する会員抽出手段と、
会員毎の、認証情報と、これまでに購入した商品の情報、を記録した会員データベースを記録保持する記憶手段と、
会員データベースを管理し、ユーザ認証を行う会員情報管理手段と、
を備えた、サーバ装置。
【請求項１１】
請求項６から請求項９のいずれか１項に記載のノベルティ配布サーバ装置をネットワークを介して使用するサーバ装置であって、
会員端末からネットワークを通じたリクエストを受付けて、対応する情報を返信する初期画面作成手段と、
会員端末のリクエストに応えて、前記ノベルティ配布サーバ装置に対して、電子商取引のサービス主体の識別子と会員識別子を含んだ照会問合せを行い、取得可能なノベルティが存在する場合は取得可能なノベルティ識別子リストを取得して、このリストの存在と購入済コンテンツのリストに基づいて、当該会員に取得権利が付与されたノベルティの存在を通知するタグを含むダウンロードリスト画面データを作成して、会員端末に返信するダウンロードリスト作成手段と、
会員端末の前記ノベルティの存在を通知するタグの選択に基づいたリクエストに応えて、前記ノベルティ配布サーバ装置から得たノベルティの識別子リストに基づいて、ノベルティ受取画面データ作成して会員端末に提供するノベルティ受取手段と、
会員端末におけるノベルティ受入れの選択によって、前記ノベルティ配布サーバ装置に対して、電子商取引のサービス主体の識別子と会員識別子およびノベルティの識別子を含んだ受領リクエストを発信し、指定されたノベルティの付与完了情報を受けると、ノベルティの識別子に対応するコンテンツのダウンロードシーケンスを開始させるアドレス情報を含んだダウンロードリスト画面データを会員端末に返信するノベルティ登録手段と、
電子商取引の管理者による所定のノベルティ配布条件の入力により、該ノベルティ配布対象会員を抽出する会員抽出手段と、
会員毎の、認証情報と、これまでに購入した商品の情報、を記録した会員データベースを記録保持する記憶手段と、
会員データベースを管理し、ユーザ認証を行う会員情報管理手段と、
を備えた、サーバ装置。
【請求項１２】
前記ダウンロードリスト作成手段が、該会員が既に取得済のノベルティについても購入済コンテンツと併せてダウンロードリストを作成する、請求項１０または請求項１１に記載のサーバ装置。
【発明の詳細な説明】
【技術分野】
【０００１】
本発明は、インターネット等のネットワークを介して配信される、電子商取引に伴うノベルティ（販売促進用の贈答品、おまけ）の提供方法に関する。
【背景技術】
【０００２】
従前より、一般的な店頭での商取引において、購買意欲の促進や特定の商品を周知させる目的で、これらの商品の購入に伴い景品やプロモーショングッズを提供することが行われている。例えば、商品のラベルや包装フィルムに応募券を印刷し、該応募券を景品提供者に郵送することにより景品を取得する方法や、商品中にカードやキャラクターグッズ等を封入する方法などが挙げられる。
【０００３】
近年では、携帯電話や携帯情報端末が広く普及してきており、これらを用い、インターネット等のネットワークを介して商品やサービスを提供する電子商取引が興隆しつつある。これらの電子商取引においては、通常の有形の商品を電子的に発注し、商品を授受し金銭を決済するような、従来の商取引の一部を電子化した形態もあるが、携帯電話や携帯情報端末上で専ら閲覧するための書籍や雑誌及びコミック等の電子情報(以下、電子書籍と呼ぶ)のような、無形の商品を取引する形態も存在する。
【０００４】
このような電子商取引が多用される状況において、商取引の内容によってはネットワークを利用して景品やプロモーショングッズを提供することが行われるようになってきている。また、上記景品やプロモーショングッズ自身が電子化され、携帯電話や携帯情報端末にダウンロードできる形態のものも知られており、これらを「電子おまけ」として、正規の景品獲得の権利を有する者に、適切な方法で景品を提供する装置及び方法（特許文献１参照）が知られている。
【先行技術文献】
【特許文献】
【０００５】
【特許文献１】特開２００３−２８１４２８号公報
【発明の概要】
【発明が解決しようとする課題】
【０００６】
しかしながら、特許文献１に開示された電子おまけ提供装置及び方法によれば、顧客はサービスを受けるために、このおまけ提供システムに会員登録する必要があり、更に景品を得る場合には正規の景品獲得の権利を持つことを電子的な方法で呈示しなければならない。また、おまけの授受にはメールによる情報のやり取りが必要な場合があり、おまけの選定方法についても顧客の意思に拘らず抽選で決定される場合もある等、実際に「電子おまけ」を受取るまでには煩雑な手続や個人情報開示を踏まねばならない上に、該提供システム内における操作手順やおまけ取得方法などの約束事に精通する必要があった。
【０００７】
本発明は電子商取引におけるサービスに関するものであり、その目的とするところは、販売促進用の贈答品（以降ノベルティと称す）を該サービスの顧客に付与すると同時に、平易な操作でそれらのノベルティを任意に取得できる方法を提供することにより、顧客の新規獲得および確保することによって、他の事業者に対して差別化を図るための書店サーバ装置、サーバ装置及びノベルティ配布サーバ装置を提供することである。
【課題を解決するための手段】
【０００８】
上記課題を解決するための、本願の第１の発明は、
会員端末からネットワークを通じたリクエストを受付けて、対応する情報を返信する送受信手段と、
ノベルティの取得権利を付与された会員識別子と、ノベルティを特定する識別子と、受け取り有効期限と、を１件のレコードとして記録するノベルティ付与情報を記録保持する記憶手段と、
ノベルティの付与を受入れた会員の会員識別子と対象ノベルティの識別子とを含む情報を１件のレコードとして記録するノベルティ利用権利情報を記録保持する記憶手段と、
会員毎の、認証情報と、これまでに購入した商品の情報、を記録した会員データベースを記録保持する記憶手段と、
会員データベースを管理し、ユーザ認証を行う会員情報管理手段と、
ユーザ認証された会員端末に対して前記ノベルティ付与情報を参照して、当該会員に取得権利が付与されたノベルティの存在を通知する手段と、
会員端末のリクエストに応えて、前記ノベルティ付与情報を参照して、ノベルティの抄録をユーザ端末に提供するノベルティ受取手段と、
会員端末におけるノベルティ受入れの選択によって、１件のノベルティ利用権利情報を生成し記録するノベルティ登録手段と、
会員端末のリクエストに応えて、会員データベースおよびノベルティ利用権利情報を参照して、購入済コンテンツおよび利用権利取得済ノベルティのリストを提供するダウンロードリスト作成手段と、
会員端末における選択により、ダウンロードリストから選択されたノベルティを会員に提供する手段と、
を備えた、電子ノベルティ付与機能を備えた書店サーバ装置である。
【０００９】
前記第１の発明の書店サーバ装置とは、会員端末からネットワークを通じたリクエストを受付けて、対応する情報を返信する送受信手段と、会員毎の、認証情報と、これまでに購入した商品の情報、を記録した会員データベースを記録保持する記憶手段と、会員データベースを管理し、ユーザ認証を行う会員情報管理手段と、ユーザ認証された会員向けに初期画面を作成する初期画面作成手段と、会員がダウンロードできるコンテンツをユーザ端末に表示するダウンロードリスト作成手段と、書誌情報ＤＢ（データベース）を利用してコンテンツの検索、購入条件及び決済手段の提示、会員からの購入申込みに対して決済処理あるいは決済依頼処理を行い正常な結果が得られた場合にはコンテンツをダウンロードするためのＵＲＬ情報の通知、等の機能を提供するその他の書店機能提供手段と、上記各手段を制御する制御手段を備えた電子書籍コンテンツを扱う電子商取引サービスを提供するサーバ装置である。
【００１０】
前記ノベルティ付与情報を記録保持する記憶手段を設けたことにより、会員に取得権利が付与されたノベルティの存在を通知することができ、前記ノベルティ利用権利情報を記録保持する記憶手段を設けたことにより、会員が受け入れを選択したノベルティを購入済コンテンツと同じ扱いでダウンロードリストにリストアップさせることができる。
【００１１】
また、本願の第２の発明は、
ノベルティの取得権利を付与された電子商取引の会員識別子と、ノベルティを特定する識別子と、受け取り有効期限と、を１件のレコードとして記録するノベルティ付与情報を記録保持する記憶手段と、
ノベルティの付与を受入れた会員の電子商取引の会員識別子と対象ノベルティの識別子とを含む情報を１件のレコードとして記録するノベルティ利用権利情報を記録保持する記憶手段と、
外部装置からの、会員識別子を伴う照会問合せに対して、該会員が取得可能なノベルティが存在する場合は、取得可能なノベルティのノベルティ識別子リストを含む情報を、存在しない場合は存在しない旨の情報を返信するノベルティ照会手段と、
外部装置からの、会員識別子およびノベルティの識別子を含んだ受領リクエストに応じて、指定されたノベルティに関する１件のノベルティ利用権利情報レコードを生成し、指定されたノベルティに関するノベルティ付与情報レコードを削除して、ノベルティ付与完了情報を返信するノベルティ取得手段と、
を備えたノベルティ配布サーバ装置である。
ここで外部装置とは、ネットワークを通じて会員に何らかのサービスを行うサーバ装置等である。
【００１２】
前記ノベルティ照会手段において、該会員が取得可能なノベルティのノベルティ識別子リストだけではなく、既に該会員が取得済のノベルティに関する情報についても併せて返信するようにしてもよい。これにより、外部装置が該会員の過去に取得したノベルティを管理しない場合にも対応できる。
【００１３】
また、本ノベルティ配布サーバ装置は、外部装置からのノベルティの識別子を含んだダウンロード先問い合わせに応じて、指定されたノベルティのダウンロード先アドレスを返信する手段を備えていてもよい。これにより、外部装置がノベルティを保持するまたはノベルティの付与の管理をする必要がなくなり、ノベルティ配布サーバ装置がこれらの機能を代替すればよい。
【００１４】
また、本ノベルティ配布サーバ装置は、電子商取引サービス管理者端末からの、対象会員リストおよび所定のノベルティ配布条件情報を含んだノベルティ付与情報更新リクエストに応じて、前記ノベルティ付与情報を更新するノベルティ配布手段を更に備えていてもよい。これにより、電子商取引サービス管理者は、手作業により直接ノベルティ配布サーバの情報を操作することなく、ネットワーク経由でノベルティ配布サーバに依頼することにより、適宜、適切なノベルティを対象会員に提供することができる。
【００１５】
また、本願の第３の発明は、
ノベルティの取得権利を付与された電子商取引の会員識別子と、電子商取引のサービス主体の識別子と、ノベルティを特定する識別子と、受け取り有効期限と、を１件のレコードとして記録するノベルティ付与情報を、記録保持する記憶手段と、
ノベルティの付与を受入れた会員の電子商取引の会員識別子と、電子商取引のサービス主体の識別子と、対象ノベルティの識別子とを含む情報を１件のレコードとして記録するノベルティ利用権利情報を記録保持する記憶手段と、
外部装置からの、電子商取引のサービス主体の識別子および会員識別子を伴う照会問合せに対して、該会員が取得可能なノベルティが存在する場合は、取得可能なノベルティのノベルティ識別子リストを含む情報を、存在しない場合は存在しない旨の情報を返信するノベルティ照会手段と、
外部装置からの、電子商取引のサービス主体の識別子と会員識別子およびノベルティの識別子を含んだ受領リクエストに応じて、指定されたノベルティに関する１件のノベルティ利用権利情報レコードを生成し、指定されたノベルティに関するノベルティ付与情報レコードを削除して、ノベルティ付与完了情報を返信するノベルティ取得手段と、
を備えたノベルティ配布サーバ装置である。
【００１６】
前記ノベルティ照会手段において、該会員が取得可能なノベルティのノベルティ識別子リストだけではなく、既に該会員が取得済のノベルティに関する情報についても併せて返信するようにしてもよい。
【００１７】
また、本ノベルティ配布サーバ装置は、外部装置からのノベルティの識別子を含んだダウンロード先問い合わせに応じて、指定されたノベルティのダウンロード先アドレスを返信する手段を備えていてもよい。
【００１８】
また、本ノベルティ配布サーバ装置は、電子商取引サービス管理者端末からの、電子商取引のサービス主体の識別子と対象会員リストおよび所定のノベルティ配布条件情報を含んだノベルティ付与情報更新リクエストに応じて、前記ノベルティ付与情報を更新するノベルティ配布手段を更に備える。
【００１９】
本願第４の発明は、本願第２の発明のノベルティ配布サーバ装置をネットワークを介して使用するサーバ装置であって、会員端末からネットワークを通じたリクエストを受付けて、対応する情報を返信する初期画面作成手段と、
会員端末のリクエストに応えて、前記ノベルティ配布サーバ装置に対して会員識別子を含んだ照会問合せを行い、取得可能なノベルティが存在する場合は取得可能なノベルティ識別子リストを取得して、このリストの存在と購入済コンテンツのリストに基づいて、当該会員に取得権利が付与されたノベルティの存在を通知するタグを含むダウンロードリスト画面データを作成して、会員端末に返信するダウンロードリスト作成手段と、
会員端末の前記ノベルティの存在を通知するタグの選択に基づいたリクエストに応えて、前記ノベルティ配布サーバ装置から得たノベルティの識別子リストに基づいて、ノベルティ受取画面データを作成して会員端末に提供するノベルティ受取手段と、
会員端末におけるノベルティ受入れの選択によって、前記ノベルティ配布サーバ装置に対して会員識別子およびノベルティの識別子を含んだ受領リクエストを発信し、指定されたノベルティの付与完了情報を受けると、ノベルティの識別子に対応するコンテンツのダウンロードシーケンスを開始させるアドレス情報を含んだダウンロードリスト画面データを会員端末に返信するノベルティ登録手段と、
電子商取引の管理者による所定のノベルティ配布条件の入力により、該ノベルティ配布対象会員を抽出する会員抽出手段と、
会員毎の、認証情報と、これまでに購入した商品の情報、を記録した会員データベースを記録保持する記憶手段と、
会員データベースを管理し、ユーザ認証を行う会員情報管理手段と、
を備えている。
【００２０】
本願第５の発明は、本願第３の発明のノベルティ配布サーバ装置をネットワークを介して使用するサーバ装置であって、会員端末からネットワークを通じたリクエストを受付けて、対応する情報を返信する初期画面作成手段と、
会員端末のリクエストに応えて、前記ノベルティ配布サーバ装置に対して、電子商取引のサービス主体の識別子と会員識別子を含んだ照会問合せを行い、取得可能なノベルティが存在する場合は取得可能なノベルティ識別子リストを取得して、このリストの存在と購入済コンテンツのリストに基づいて、当該会員に取得権利が付与されたノベルティの存在を通知するタグを含むダウンロードリスト画面データを作成して、会員端末に返信するダウンロードリスト作成手段と、
会員端末の前記ノベルティの存在を通知するタグの選択に基づいたリクエストに応えて、前記ノベルティ配布サーバ装置から得たノベルティの識別子リストに基づいて、ノベルティ受取画面データを作成して会員端末に提供するノベルティ受取手段と、
会員端末におけるノベルティ受入れの選択によって、前記ノベルティ配布サーバ装置に対して、電子商取引のサービス主体の識別子と会員識別子およびノベルティの識別子を含んだ受領リクエストを発信し、指定されたノベルティの付与完了情報を受けると、ノベルティの識別子に対応するコンテンツのダウンロードシーケンスを開始させるアドレス情報を含んだダウンロードリスト画面データを会員端末に返信するノベルティ登録手段と、
電子商取引の管理者による所定のノベルティ配布条件の入力により、該ノベルティ配布対象会員を抽出する会員抽出手段と、
会員毎の、認証情報と、これまでに購入した商品の情報、を記録した会員データベースを記録保持する記憶手段と、
会員データベースを管理し、ユーザ認証を行う会員情報管理手段と、
を備えている。
【発明の効果】
【００２１】
本願の第１の発明によれば、既存の電子書籍サービスサイトの会員向けのサービスであるため、このサービスを受ける時点で既にユーザ情報は認識されており、別途新たな個人認識手段を経る必要がない。また、操作方法や用語などのユーザインタフェースについても、該サイトのルールに適合させることができるため、違和感の少ない操作性が得られることが期待できる。
【００２２】
また、本発明により付与されたノベルティの取得については、会員である顧客が任意に取捨選択することができるため、偶然性や意図しないノベルティの取得が行われることが無く、不要なノベルティの付与によるストレスが少ない。
【００２３】
本発明により付与されたノベルティを会員である顧客が取得した場合、該ノベルティの取得、具体的にはダウンロード手段は、本電子商取引サイトにおいて有償商品を購入した場合と同様のダウンロード手段である。これにより、取得方法が画一化され、操作性の向上が見込めるとともに、ノベルティの質が有償商品に匹敵するといったプレミアム感を持たせることができる。
【００２４】
本願の第２の発明によれば、既存の電子書籍またはデジタル情報を提供するサービスサイトのサーバ装置にノベルティの配布に関する情報を置くことはなく、別なコンピュータであるノベルティ配布サーバが該情報を提供することができる。
【００２５】
本願の第３の発明によれば、既存の電子書籍またはデジタル情報を提供するサービスサイト毎に別なコンピュータであるノベルティ配布サーバを設ける必要はなく、一台のノベルティ配布サーバで複数の電子商取引サービスに対し、ノベルティの配布に関するサービスを提供することができる。
【図面の簡単な説明】
【００２６】
【図１】第１の実施形態における電子ノベルティ付与機能付書店サーバ装置の全体  構成を示すブロック図である。
【図２】第１の実施形態における会員情報管理手段１３０の詳細を示すブロック図  である。
【図３】第１の実施形態における書店機能提供手段１４０の詳細を示すブロック図  である。
【図４】第１の実施形態におけるノベルティ提供手段１５０の詳細を示すブロック  図である。
【図５】第１の実施形態における電子ノベルティ付与機能付書店サーバ装置１００  のハードウェア構成の一例を示すブロック図である。
【図６】第１の実施形態におけるユーザ端末からの要求とそれに対する本発明の電  子ノベルティ付与機能付書店サーバ装置の応答を示すブロック図である。
【図７】第１の実施形態におけるノベルティ付与手段１５９の動作の流れを示すフ  ローチャートである。
【図８】第１の実施形態におけるノベルティ付与情報１２２及び第２の実施形態に  おけるノベルティ付与情報７２１の構成を示す図である。
【図９】第１の実施形態におけるノベルティ利用権利情報１２３及び第２の実施形  態におけるノベルティ付与情報７２２の構成を示す図である。
【図１０】第１の実施形態におけるユーザ端末上に表示されるノベルティが付与さ  れた場合のダウンロードリストの表示画面の例を示す図である。
【図１１】第１の実施形態におけるユーザ端末上に表示されるプレゼント受取画面  の表示例を示す図である。
【図１２】第１の実施形態におけるユーザ端末上に表示されるプレゼント受取完了  画面の表示例を示す図である。
【図１３】第１の実施形態におけるユーザ端末上に表示されるプレゼント（ノベル  ティ）受取後のダウンロードリストの表示画面の例を示す図である。
【図１４】第１の実施形態におけるノベルティ登録手段１５２の動作の流れを示す  フローチャートである。
【図１５】第１の実施形態における実施の形態のユーザ端末上に表示される画面の  遷移を示す図である。
【図１６】第２の実施形態における電子ノベルティ付与機能（サーバ分離型）の全  体構成を示すブロック図である。
【図１７】第２の実施形態におけるサーバ装置の詳細を示すブロック図である。
【図１８】第２の実施の形態におけるノベルティ配布サーバ装置の詳細を示すブロ  ック図である。
【図１９】第２の実施形態におけるサーバ装置６００の及びノベルティ配布サーバ  装置７００のハードウェア構成の一例を示すブロック図である。
【図２０】第２の実施形態における、ログイン〜初期画面表示における処理の流れ  を示すブロック図である。
【図２１】第２の実施形態における、ダウンロードリストの表示における処理の流  れを示すブロック図である。
【図２２】第２の実施形態における、プレゼント受取りの要請における処理の流れ  を示すブロック図である。
【図２３】第２の実施形態における、プレゼントの受取りにおける処理の流れを示  すブロック図である。
【図２４】第２の実施形態における、会員端末上に表示されるプレゼント受取確認  画面の表示例を示す図である。
【図２５】第２の実施形態における、ノベルティ配布手段７３９の処理の流れを示  すブロック図である。
【図２６】第２の実施形態の改良型における電子ノベルティ付与機能（多サーバ対  応型）−１の全体構成を示すブロック図である。
【図２７】第３の実施形態における電子ノベルティ付与機能（多サーバ対応型）−  ２の全体構成を示すブロック図である。
【図２８】第３の実施形態における、ノベルティ付与情報７２４の構成を示す図で  ある。
【図２９】第３の実施形態における、ノベルティ利用権利情報７２５の構成を示す  図である。
【図３０】第２、第３の実施形態における、ノベルティのダウンロードの要請にお  ける処理の流れを示すブロック図である。
【発明を実施するための形態】
【００２７】
以下に、本発明の構成について図面を参照してさらに詳細に説明する。
本発明の実施例として、特定の電子商取引サイトである電子書籍サービスサイトを挙げ、該サービスを提供するコンピュータを用いてノベルティ付与を実施する例を説明する。
【００２８】
（第１の実施形態）
図１は、本発明の一実施例における電子ノベルティ付与機能付書店サーバ装置の構成を示すブロック図である。図１において、１００は本発明における電子ノベルティ付与機能付書店サーバ装置であり、インターネット上で電子書籍サービスを提供する装置である。本装置は、送受信手段１１０、制御手段１２０、会員情報管理手段１３０、書店機能提供手段１４０及び本発明に係るノベルティ提供手段１５０といくつかのデータベース（詳細な説明は後述）を備えている。
【００２９】
ネットワーク５００は簡略化されて表示しているが、例えばインターネットのようなゲートウェイを介した複数のネットワークの組合せであり、ＬＡＮ（Ｌｏｃａｌ  Ａｒｅａ  Ｎｅｔｗｏｒｋ）、電話回線、移動体通信網等から構成され、ユーザ端末２０１、２０２と電子ノベルティ付与機能付書店サーバ装置１００及びコンテンツダウンロードサーバ装置４００との間で情報の送受信を可能とするためのものである。
【００３０】
電子書籍サービス利用者は、自身で保有する携帯電話２０１や携帯端末・ＰＣ等２０２などのユーザ端末からネットワーク５００を介してＷＷＷ（Ｗｏｒｌｄ  Ｗｉｄｅ  Ｗｅｂ）上の上記電子ノベルティ付与機能付書店サーバ装置１００が提供するサービスにログインし、通常の電子書籍購入に係るサービスや本発明に係るノベルティ受け取りサービスを受けることができる。また、ここで購入または取得した電子コンテンツは電子ノベルティ付与機能付書店サーバ装置１００の内部ではなく、ネットワーク５００上のコンテンツダウンロードサーバ装置４００内に格納されていてもよい。
【００３１】
電子ノベルティ付与機能付書店サーバ装置１００は、送受信手段１１０と制御手段１２０を備えている。制御手段１２０は送受信手段１１０より受信する電子書籍サービス利用者からのリクエストを解析して会員情報管理手段１３０、書店機能提供手段１４０、ノベルティ提供手段１５０のいずれかを作動させ所定の処理を行った後、送受信手段１１０を介し、該利用者のリクエストに対する応答画面を送信する。
【００３２】
図２は、会員情報管理手段１３０の構成を示すブロック図である。電子書籍サービス利用者が該サービスを受けようとした場合、制御手段１２０を介し会員情報管理手段１３０が作動され、ログイン画面３０１の表示やユーザ認証３０２の処理を行い、認証が確認されれば制御手段１２０に処理を引き継ぐ、または、認証が確認されなければその旨を示す画面を作成した上で制御手段１２０に処理を戻す。また、会員の登録や削除及び会員の会員ＩＤ、ログインパスワード、氏名等の登録個人情報及びコンテンツの購入履歴等を管理する。これらのデータの実体は会員ＤＢ（データベース）１２１に格納される。
【００３３】
図３は、書店機能提供手段１４０の詳細を示すブロック図である。書店機能提供手段１４０は基本的に通常の電子書籍購入に係るサービスであり、制御手段１２０を介して作動される。具体的には、ユーザ認証された会員向けに初期画面を作成する初期画面作成手段１４１、会員がダウンロードできるコンテンツをユーザ端末２０１，２０１に表示するダウンロードリスト作成手段１４２、書誌情報ＤＢ（データベース）１２４を利用してコンテンツの検索、購入条件及び決済手段の提示、会員からの購入申込みに対して決済（決済依頼）処理を行い正常な結果が得られた場合にはコンテンツをダウンロードする場合のＵＲＬ情報の通知、等の機能を提供するその他の書店機能提供手段１４３を備えている。（書店機能提供手段１４３は本願第１の発明における「ダウンロードリストから選択されたノベルティを会員に提供する手段」を兼ねている。）
【００３４】
図４は、ノベルティ提供手段１５０の詳細を示すブロック図である。ノベルティ提供手段１５０は本発明のノベルティ提供に係るサービスを提供する。制御手段１２０を介して作動され、具体的には、ノベルティ付与情報１２２及び書誌情報ＤＢ（データベース）１２４を利用してノベルティを提供された会員のプレゼント受取画面を作成するノベルティ受取手段１５１、会員がノベルティの受取りを希望した場合、ノベルティ利用権利情報１２３を更新し、その結果を通知するプレゼント受取完了画面を作成するノベルティ登録手段１５２、ノベルティを受領する権利を対象者に付与するノベルティ付与手段１５９を備えている。尚、付与されるノベルティの書誌情報は書誌情報ＤＢ（データベース）１２４に格納されている。
【００３５】
図５は、電子ノベルティ付与機能付書店サーバ装置１００のハードウェア構成の一例を示すブロック図である。電子ノベルティ付与機能付書店サーバ装置１００は、制御部１０１、ローカル記憶部１０２、周辺機器Ｉ／Ｆ部１０３、入力部１０４、表示部１０５、通信部１０６がパス１０９を介して接続される。制御部１０１はＣＰＵ（中央処理装置）で装置全体を制御する、また、プログラムを実行する。記憶部１０２は制御部１０１で処理するデータやプログラムを保持する。周辺機器Ｉ／Ｆ部１０３はデータベースやプログラムを記録したハードディスクの記憶媒体との間でデータの授受を行う。入力部１０４はキーボードやマウス等の入力装置であり、データの入力等を行う。表示部１０５はディスプレイ等の表示装置である。通信部１０６はネットワークを介して他のコンピュータ等と通信を行う。
【００３６】
図１から図３に示された各手段と図４の関係であるが、電子ノベルティ付与機能付書店サーバ装置１００の記憶部１０２には、電子ノベルティ付与機能付書店サーバ装置１００として使用するコンピュータのＯＳのプログラムコードおよびＨＴＴＰプロトコルにより顧客からの要求を受けそれに対する応答を返すＷＥＢサーバーソフトウェア（送受信手段１１０の主要部）の他に、処理の遷移を制御するコンピュータプログラムモジュール（制御手段１２０の主要部）およびノベルティの付与情報を登録するコンピュータプログラムモジュール（ノベルティ付与手段１５９の主要部）、送受信手段１１０を介して初期ユーザ画面や、ダウンロードリスト、ノベルティ取得、に関するリクエストに対して対応する対話画面を作成して送信するコンピュータプログラムモジュール（初期画面作成手段１４１、ダウンロードリスト作成手段１４２及びノベルティ提供手段１５０の主要部）、および利用者のリクエストに応じて送受信手段１１０を介して電子コンテンツの検索、購入条件及び決済手段の提示のための対話画面を作成してリクエスト元へ返信するコンピュータプログラムモジュール群（その他の書店機能提供手段１４３の主要部）、の実行形式プログラムが格納されており、これらのプログラムコードが制御部１０１に読み出されて、電子ノベルティ付与機能付書店サーバ装置１００のハードウェアを駆動制御することにより各手段１４１〜１５９として機能する。
【００３７】
図６は、ユーザ端末からの要求とそれに対する本発明の電子ノベルティ付与機能付書店サーバ装置１００の挙動を示すブロック図である。電子書籍サービス利用者は、自身で保有する携帯電話２０１や携帯端末・ＰＣ等２０２などのユーザ端末を用いて、ネットワーク５００を経て、本実施例の電子書籍サービスサイトにアクセスした場合、制御手段１２０を介し会員情報管理手段１３０が作動され、ログイン画面３０１を呼び出す。ここで、ログイン画面３０１に対し、該利用者が会員ＩＤとパスワードを入力し、電子ノベルティ付与機能付書店サーバ装置１００に返信すると、会員情報管理手段１３０が会員ＤＢ１２１の情報を使用し、利用者が該サービスサイトの会員であるかどうかの確認を行い、制御手段１２０に処理を戻す。ここでユーザ認証３０２がなされると、制御手段１２０は書店機能提供手段１４０を作動させ、初期画面作成手段１４１によってユーザの情報が反映された初期画面（ユーザ画面）が作成され（３０３）、ユーザ端末に初期画面３１１が表示される。
【００３８】
ユーザ認証された会員が初期画面３１１において「ダウンロードリストの表示」を選択すると。制御手段１２０は書店機能提供手段１４０のダウンロードリスト作成手段１４２を作動させる。ダウンロードリスト作成手段１４２は会員ＤＢ１２１を利用して、該会員が既に購入または取得した書籍をリストアップしたダウンロードリスト画面を作成する。また、ダウンロードリスト作成手段１４２は引き続いてノベルティ付与情報１２２も参照し、該会員向けのノベルティが存在していた場合、その情報を追加したダウンロードリスト画面を作成して（３１２）、ユーザ端末にダウンロードリスト画面を表示する（３１３、図１０参照、処理の詳細については後述する）。（ダウンロードリスト作成手段１４２は本願第１の発明における「当該会員に取得権利が付与されたノベルティの存在を通知する手段」を兼ねている。）
【００３９】
図８は、ノベルティ付与情報１２２の構成を示す図である。このデータベースでは、一つのレコードが会員のＩＤと、付与されたノベルティを表わす商品ＩＤと、ノベルティ受取りの有効期限情報の３項目で構成されており、ノベルティ付与手段１５９（機能の詳細は後述）により登録、更新される。
【００４０】
ダウンロードリストの表示画面３１３で、該会員向けのノベルティが存在していた場合、プレゼントの受取が選択できる、そこで会員利用者がプレゼントの受取を選択（図１０のＢ０１）すると、制御手段１２０はノベルティ提供手段１５０のノベルティ受取手段１５１を作動させる。ノベルティ受取手段１５１はノベルティ付与情報１２２及び書誌情報ＤＢ（データベース）１２４を参照し、プレゼント受取画面を作成して（３１４）、ユーザ端末にプレゼント受取画面を表示する（３１５、図１１参照、処理の詳細については後述する）。
【００４１】
プレゼント受取画面３１５で、表示されたノベルティについて、該会員はこれらの受取を任意に選択できる、そこで受取を選択（図１１のＢ１１またはＢ１２）すると、受取指示を再確認した後（この再確認は省略してもよい）制御手段１２０はノベルティ提供手段１５０のノベルティ登録手段１５２を作動させる。ノベルティ登録手段１５２はノベルティ利用権利情報１２３に該ノベルティの情報を登録し、選択されたノベルティをダウンロード可能な状態にした後、受取完了画面を作成して（３１６）、ユーザ端末にプレゼント受取完了画面を表示する（３１７、図１２参照、処理の詳細については後述する）。
【００４２】
図９は、ノベルティ利用権利情報１２３の構成を示す図である。このデータベースでは、一つのレコードが利用権利ＩＤ（自動付与される）と、その権利を持つ会員のＩＤと、付与される商品ＩＤと、利用権利の取得日の４項目で構成されており、ここに登録されたノベルティに対応する電子コンテンツのダウンロードが可能となる。
【００４３】
図７は、ノベルティ付与手段１５９の動作の流れを示すフローチャートである。本手段の処理開始時に、どの会員を対象にどんなノベルティを付与するかといった条件を入力する。例えば、前回の本処理実施時刻以降に新規登録した会員に対してＸというノベルティを付与するといった内容である。まず、会員ＤＢ１２１を参照し、処理の対象となる会員情報を抽出情報ファイル１２９に蓄える（Ｓ１０）。次に抽出情報ファイル１２９を参照し、所定の情報をノベルティ付与情報１２２に登録する（Ｓ２０）。ノベルティ付与情報１２２は図８のような、ノベルティを付与されるべき会員のＩＤと、付与される商品ＩＤと、受取有効期限の３項目が一つのレコードで構成された構造を持っている。次に先の処理で追加更新されたノベルティ付与情報１２２について、期限切れの付与情報の削除を行う。具体的には、受取有効期限が過ぎたノベルティ付与情報のレコードをデータベースより削除する（Ｓ３０）。これらの処理が終了した後、不要となった抽出情報ファイル１２９を消去する
【００４４】
図１０は、電子書籍サービス利用者が既に購入または取得した書籍をリストアップする「ダウンロードリスト」画面の表示例である。この画面の作成自体はダウンロードリスト作成手段１４２が行い、ダウンロード可能なコンテンツについて表示するが、該利用者がノベルティを付与されている場合、即ちノベルティ付与情報１２２に該利用者のＩＤが登録されている場合にその情報が画面に表示される。この例では、リストの先頭部に「プレゼントがあります〜」といった形で表示される。この状態で該利用者がノベルティの取得を希望する場合はＢ０１の部分を選択する。
【００４５】
図１１は、該利用者がノベルティの取得を選択（Ｂ０１を）選択した場合に表示される「プレゼント受取画面」の表示例である。この画面を生成する際ノベルティ受取手段１５１が実行され、ノベルティ付与情報１２２に登録されている該利用者に付与されたノベルティ情報が画面に表示される。該利用者が「プレゼント受取画面」にてノベルティの受取りを希望する場合は該当するノベルティが表示されている欄中の「この本を受取る」（Ｂ１１またはＢ１２）の部分を選択する。
【００４６】
図１２は、該利用者が「プレゼント受取画面」にてノベルティの受取りを選択（Ｂ１１またはＢ１２を選択）した結果表示される「プレゼント受取完了画面」の表示例である。この画面を生成する際、ノベルティ登録手段１５２が実行される。
【００４７】
図１４は、ノベルティ登録手段１５２の動作の流れを示すフローチャートである。先ず、該利用者が「プレゼント受取画面」にて受取りを選択したノベルティのレコードをノベルティ利用権利情報１２３に追加登録する、もし既に同じ名称のノベルティが登録されていた場合は上書きする（Ｓ６０）。次にノベルティ付与情報１２２から当該ノベルティのレコードを削除する（Ｓ７０）。これは、ノベルティを重複して受取ることが無いようにするための処理である。最後に当該ノベルティの「プレゼント受取完了画面」を生成して該利用者の端末に表示させる（Ｓ８０）。
【００４８】
図１３は、電子書籍サービス利用者が付与されたノベルティを取得した後、「ダウンロードリストの表示」を選択した場合に表示される「ダウンロードリスト」画面の表示例である。ここで新たに取得したノベルティは既に購入または取得した書籍と同等に表示され、取り扱うことができるようになる。具体的には電子コンテンツのダウンロードが可能となる。ノベルティ取得以前の「ダウンロードリスト」画面（図１０参照）と比較すると、ダウンロード可能な電子コンテンツが増えているのがわかる。
【００４９】
図１５は、電子書籍サービス利用者がノベルティを受取る際の携帯電話や携帯端末・ＰＣ等における表示画面の遷移を示す一例である。該利用者は電子書籍サービスサイトにログインした後、既に購入または取得した書籍のリストを表示する「ダウンロードリスト」画面を開く。ノベルティが付与されている場合この画面にその旨表示されるので、該利用者はここでノベルティを受取るかどうか選択する。ノベルティの受取りを選択した場合、「プレゼント受取画面」が表示され、更に受け取りを選択すると「プレゼント受取完了画面」が表示され、選択されたノベルティはダウンロードリストに追加登録される
【００５０】
（第２の実施形態）
第２の実施形態は、ノベルティの提供に関わる機能を受け持つ専用のサーバ装置が電子商取引サービスを提供する装置と連携するシステムに関する。この電子商取引サービスは、電子書店のようなものであってもよいがそれにかぎらない。但し、ネットワーク上でのダウンロードにより商品が引き渡されるような商品を扱うものに限られる。
【００５１】
図１６は、第２の実施の形態におけるノベルティ配布システムの全体構成を示すブロック図である。尚、図１と同じものは同一の番号で表している。図１６において、６００は第２の実施の形態におけるサーバ装置であり、インターネット上で電子商取引サービスを提供する装置である。本装置の機能の詳細については後述する。また７００は第２の実施の形態におけるノベルティ配布サーバ装置であり、前記サーバ装置とは別個に動作する。本装置の機能の詳細についても後述する。
【００５２】
ネットワーク５００は図１の説明の際に説明したネットワークの組合せであり、ユーザ端末（会員端末）２０１、２０２とサーバ装置６００やノベルティ配布サーバ装置７００及びコンテンツダウンロードサーバ装置４００との間で情報の送受信を可能とするためのものである。
【００５３】
電子商取引サービス利用者は、自身で保有する携帯電話２０１や携帯端末・ＰＣ等２０２などのユーザ端末（会員端末）からネットワーク５００を介してＷＷＷ（Ｗｏｒｌｄ  Ｗｉｄｅ  Ｗｅｂ）上の上記サーバ装置６００が提供するサービスにログインし、通常の電子商取引に係るサービスや本発明に係るノベルティ受け取りサービスを受けることができる。また、ここで購入または取得した電子コンテンツはサーバ装置６００の内部ではなく、ネットワーク５００上のコンテンツダウンロードサーバ装置４００内、あるいはノベルティ配布サーバ装置７００内に格納されていてもよい。
【００５４】
図１７は、サーバ装置６００の詳細を説明するブロック図である。サーバ装置はインターネット上で電子商取引サービスを提供する。本装置は、送受信手段６１０、制御手段６２０、初期画面作成手段６３１、ダウンロードリスト作成手段６３２、ノベルティ受取手段６３３、ノベルティ登録手段６３４、会員抽出手段６３５、電子商取引サービスにおける電子コンテンツ等の検索、購入条件及び決済手段の提示、会員からの購入申込みに対して決済（決済依頼）処理を行い正常な結果が得られた場合にはコンテンツをダウンロードする場合のＵＲＬ情報の通知、等の機能を提供するその他の取引機能提供手段６３８、会員情報管理手段６３９、及び後述するいくつかのデータベースを備えている。また、会員情報管理手段６３９は、会員のユーザ認証を行うとともに、会員の登録や削除及び会員の会員ＩＤ、ログインパスワード、氏名等の登録個人情報及び会員のコンテンツの購入履歴等を管理する。これらのデータの実体は会員情報ＤＢ（データベース）６２１に格納される。また、書誌情報ＤＢ（データベース）６２２には、本電子商取引サービスサイトが扱うコンテンツとノベルティの書誌情報または抄録情報が蓄積される。
【００５５】
図１８は、ノベルティ配布サーバ装置７００の詳細を示すブロック図である。ノベルティ配布サーバ装置７００は本発明のノベルティ提供に係るサービスを提供する。制御手段７２０、サーバ装置６００のノベルティ登録手段６３４と連携して作動するノベルティ取得手段７３１、外部装置からの、電子商取引の会員識別子を伴う照会問合せに対して、該会員が取得可能なノベルティが存在する場合は、取得可能なノベルティのノベルティ識別子リストを含む情報を、存在しない場合は存在しない旨の情報を返信するノベルティ照会手段７３２、及びノベルティ付与情報７２１とノベルティ利用権利情報７２２及びノベルティ対象商品テーブル７３３を利用してノベルティを受領する権利を対象者に付与するノベルティ配布手段７３９を備えている。
【００５６】
図１９は、サーバ装置６００のハードウェア構成の一例を示すブロック図である。サーバ装置６００は、制御部６０１、ローカル記憶部６０２、周辺機器Ｉ／Ｆ部６０３、入力部６０４、表示部６０５、通信部６０６がパス６０９を介して接続される。制御部６０１はＣＰＵ（中央処理装置）で装置全体を制御する、また、プログラムを実行する。記憶部６０２は制御部６０１で処理するデータやプログラムを保持する。周辺機器Ｉ／Ｆ部６０３はデータベースやプログラムを記録したハードディスクの記憶媒体との間でデータの授受を行う。入力部６０４はキーボードやマウス等の入力装置であり、データの入力等を行う。表示部６０５はディスプレイ等の表示装置である。通信部６０６はネットワークを介して他のコンピュータ等と通信を行う。
【００５７】
また、図１９は、ノベルティ配布サーバ装置７００のハードウェア構成の一例を示すブロック図でもある。ノベルティ配布サーバ装置７００、制御部７０１、ローカル記憶部７０２、周辺機器Ｉ／Ｆ部７０３、入力部７０４、表示部７０５、通信部７０６がパス７０９を介して接続される。制御部７０１はＣＰＵ（中央処理装置）で装置全体を制御する、また、プログラムを実行する。記憶部７０２は制御部７０１で処理するデータやプログラムを保持する。周辺機器Ｉ／Ｆ部７０３はデータベースやプログラムを記録したハードディスクの記憶媒体との間でデータの授受を行う。入力部７０４はキーボードやマウス等の入力装置であり、データの入力等を行う。表示部７０５はディスプレイ等の表示装置である。通信部７０６はネットワークを介して他のコンピュータ等と通信を行う。
【００５８】
図１６から図１８に示された各手段と図１９の関係であるが、サーバ装置６００の記憶部６０２には、サーバ装置６００として使用するコンピュータのＯＳのプログラムコードおよびＨＴＴＰプロトコルにより顧客からの要求を受けそれに対する応答を返すＷＥＢサーバーソフトウェア（送受信手段６１０の主要部）の他に、処理の遷移を制御するコンピュータプログラムモジュール（制御手段６２０の主要部）および送受信手段６１０を介して初期ユーザ画面や、ダウンロードリスト、ノベルティの受取登録、に関するリクエストに対して対応する対話画面を作成して送信するコンピュータプログラムモジュール（初期画面作成手段６３１、ダウンロードリスト作成手段６３２、ノベルティ受取手段６３３及びノベルティ登録手段６３４の主要部）、ノベルティを配布する会員を抽出するコンピュータプログラムモジュール（会員抽出手段６３５の主要部）、および利用者のリクエストに応じて送受信手段６１０を介して電子商取引サービスの会員であることの認証、電子コンテンツの検索、購入条件及び決済手段の提示のための対話画面を作成してリクエスト元へ返信するコンピュータプログラムモジュール群（その他の取引機能提供手段６３８の主要部）の実行形式プログラムが格納されており、これらのプログラムコードが制御部６０１に読み出されて、サーバ装置６００のハードウェアを駆動制御することにより各手段６３１〜６３９として機能する。
【００５９】
また、ノベルティ配布サーバ装置７００の記憶部７０２には、ノベルティ配布サーバ装置７００として使用するコンピュータのＯＳのプログラムコードおよびＨＴＴＰプロトコルにより顧客からの要求を受けそれに対する応答を返すＷＥＢサーバーソフトウェア（送受信手段７１０の主要部）の他に、処理の遷移を制御するコンピュータプログラムモジュール（制御手段７２０の主要部）および送受信手段７１０を介してノベルティの取得、ノベルティの配布に関するリクエストに対して対応する対話画面を作成して送信するコンピュータプログラムモジュール（ノベルティの取得手段７３１、ノベルティ照会手段７３２、ノベルティの配布手段７３９の主要部）、の実行形式プログラムが格納されており、これらのプログラムコードが制御部７０１に読み出されて、サーバ装置７００のハードウェアを駆動制御することにより各手段７３１〜７３９として機能する。
【００６０】
図２０は、ログインから初期画面表示に至る処理の流れを示すものである。電子商取引サービス利用者が該サービスを受けようとした場合、サーバ装置６００は会員端末からのリクエストを受付けて、制御手段６２０を介し、会員情報管理手段６３９を作動させ、ログイン画面を表示するステップ（Ｓ３１１）を作動し、ユーザ認証（Ｓ３１２）の処理を行い、認証が確認されなければその旨を示す画面を作成した上で制御手段６２０に処理を戻す、また、認証が確認されれば初期画面作成手段６３１に処理を引き継ぎ、会員端末に初期画面を表示する（Ｓ３１３）
【００６１】
図２１は、ダウンロードリストの表示に係る処理を説明する図である。ユーザ認証された会員が初期画面において「ダウンロードリストの表示」を選択（Ｓ３２１）すると。このリクエストを受けたサーバ装置６００の制御手段６２０はダウンロードリスト作成手段６３２を作動させる。ダウンロードリスト作成手段６３２は会員情報ＤＢ６２１を参照し、該電子商取引サービスにおける該会員が既に購入または取得したコンテンツの情報を抽出し、一時記憶するとともに、ノベルティ配布サーバ７００に向けて、該会員向けの取得可能なノベルティの存在及び該会員が既に取得済みのノベルティについて問合せる（Ｓ３２３）。ノベルティ配布サーバ７００はこれを受け、ノベルティ照会手段７３２を起動する。ノベルティ照会手段７３２はノベルティ付与情報７２１とノベルティ利用権利情報７２２を利用して、該会員に対する取得可能なノベルティの識別子リスト及び該会員が既に取得済みのノベルティについての情報を、サーバ装置６００に返信する（Ｓ３２４）。ダウンロードリスト作成手段６３２はこの返信された情報と前記一時記憶した情報を元に、該会員が既に購入または取得したコンテンツをリストアップしたダウンロードリスト画面を作成するとともに、該会員向けのノベルティが存在していた場合、その情報をタグとして追加したダウンロードリスト画面を作成して、会員端末にダウンロードリスト画面を表示させる（Ｓ３２２、書店サーバにおける例として図１０の画面参照、Ｂ０１がノベルティの存在を通知するタグである）。
【００６２】
前記、会員が既に取得済みのノベルティについての情報をサーバ装置６００が管理する場合には、ノベルティ照会手段７３２はその情報をサーバ装置６００に返す必要はない。また、ノベルティ付与情報７２１は図８のように第１の実施形態におけるノベルティ付与情報１２２と同様のフォーマットを持ち、ノベルティ利用権利情報７２２は図９のように第１の実施形態におけるノベルティ利用権利情報１２３と同様のフォーマットを持つ。ここで、会員ＩＤとは電子商取引の会員識別子に相当し、商品ＩＤとはノベルティの識別子に相当する。
【００６３】
図２２は、プレゼント受取りの要請に係る処理を説明する図である。ダウンロードリストの表示画面で、該会員向けのノベルティが存在していた場合、会員利用者はプレゼントの受取を選択できる、そこで会員利用者がプレゼントの受取を選択（Ｓ３３１、書店サーバにおける例として図１０のＢ０１）すると、このリクエストを受けたサーバ装置６００の制御手段６２０はノベルティ受取手段６３３を作動させる。ノベルティ受取手段６３３は前記取得可能なノベルティの識別子リストの情報を用い、書誌情報ＤＢ（データベース）６２２を参照し、プレゼント受取画面を作成して、会員端末にプレゼント受取画面を表示する（Ｓ３３２、書店サーバにおける例として図１１の画面参照）。
【００６４】
図２３は、プレゼントの受取りに係る処理を説明する図である。前記プレゼント受取画面で、表示されたノベルティについて、該会員はこれらの受取を任意に選択できる、そこで受取を選択（Ｓ３４１，書店サーバにおける例として図１１のＢ１１またはＢ１２）すると、この受取選択のリクエストを受けたサーバ装置６００の制御手段６２０はノベルティ登録手段６３４を作動させ、受取指示を確認する画面を作成し、会員端末に返信して、会員端末に表示させる（Ｓ３４２，書店サーバにおける例として図２４参照）。ここで会員が「はい」ボタンを押下（Ｓ３４３）すると、ノベルティ登録手段６３４はノベルティ配布サーバ装置７００に向けて、該会員が要求したノベルティの商品ＩＤ（ノベルティの識別子）を添えて、該ノベルティの利用権利を取得するよう依頼する（Ｓ３４５）。ノベルティ配布サーバ装置７００はこれを受け、ノベルティ取得手段７３１に処理を依頼する。ノベルティ取得手段７３１はノベルティ付与情報７２１を参照して、受取りを選択したノベルティのレコードをノベルティ利用権利情報７２２に追加登録する、もし既に同じ名称のノベルティが登録されていた場合は上書きする。次にノベルティ付与情報７２１から当該ノベルティのレコードを削除する。これは、ノベルティを重複して受取ることが無いようにするための処理である。その後、サーバ装置６００にノベルティ利用権利を登録した旨返信する（Ｓ３４６）。サーバ装置６００は制御手段６２０を介しノベルティ受取手段６３４に処理を戻す。こうしてノベルティ受取手段６３４は選択されたノベルティがダウンロード可能な状態になったのを確認した後、受取完了画面を作成して、会員端末に返信して、会員端末にプレゼント受取完了画面を表示させる（Ｓ３４４、書店サーバにおける例として図１２参照）。
【００６５】
図２５は、ノベルティ配布手段７３９の動作の流れを示すフローチャートである。本手段はノベルティ配布サーバ装置７００に対して、電子商取引の管理者がリクエストすることにより起動（Ｓ３９１）され、条件入力受付け状態となる（Ｓ３９２）。ここで、電子商取引の管理者は、どの会員を対象にどんなノベルティを付与するかといった条件を入力する（Ｓ３９３）。例えば、前回の本処理実施時刻以降に新規登録した会員に対してＸというノベルティを付与するといった内容である。この条件の入力を受けると、ノベルティ配布サーバ装置７００は、サーバ装置６００に対し、処理対象となる会員のリストの抽出を依頼する。サーバ装置６００はこれを受け、制御手段６２０を介し、会員抽出手段６３５を起動する。会員抽出手段６３５は、会員情報ＤＢ６２１を参照し、処理の対象となる会員情報を抽出会員情報６２９に蓄えた後、ノベルティ配布サーバ装置７００に処理の完了の通知とともに、抽出会員情報６２９を送付する。この際サーバ装置６００の内部にある抽出会員情報６２９は削除される。
【００６６】
ノベルティ配布サーバ装置７００はノベルティ配布手段７３９に処理を戻し、電子商取引の管理者が入力した条件から、必要であればノベルティ対象商品テーブル７２３を更新し、送信された抽出会員情報６２９とノベルティ対象商品テーブル７２３を参照して、ノベルティ付与情報７２１を更新する（Ｓ３９５）。また、併せて、期限切れの付与情報の削除を行う（Ｓ３９５）。具体的には、受取有効期限が過ぎたノベルティ付与情報のレコードをデータベースより削除する。これらの処理が終了した後結果を通知し（Ｓ３９７、３９８）、不要となった抽出会員情報６２９を削除する。尚、付与されるノベルティの書誌情報または抄録情報は、該電子商取引サービスにおけるサーバの書誌情報ＤＢ６２２に予め蓄えられているものとする。
【００６７】
（第２の実施形態の改良型）
上述のように、第２の実施の形態について述べてきた。第１の実施の形態が、電子ノベルティ付与機能付書店サーバ装置といった、一つのコンピュータ上で電子書店の機能とノベルティ配布の機能を持つものだったが、第２の実施の形態は電子商取引（書店）の機能とノベルティ配布の機能を別のコンピュータに分け、お互いがネットワークを介して情報をやり取りすることにより、第１の実施の形態と同様の機能を持つようにしたものである。ここで、更に電子商取引サーバ装置６００とノベルティ配布サーバ装置７００間の問合せ内容とノベルティ配布サーバ装置７００が持つ情報を改良することにより、一つのノベルティ配布機能を持ったコンピュータが複数の電子商取引（書店）の機能を持ったコンピュータとお互いがネットワークを介して情報をやり取りし、ノベルティを配布する形態を開示する。
【００６８】
図２６は、第２の実施形態の改良型における電子ノベルティ付与機能（多サーバ対応型）−１の全体構成を示すブロック図である。単独のノベルティ配布サーバ装置７００が複数の電子商取引サーバ装置６００（６００Ａ、６００Ｂ、６００Ｃ等）とネットワークを介して情報をやり取りし、ノベルティを配布するものである。
【００６９】
この実現には、複数の電子商取引サーバ装置６００（６００Ａ、６００Ｂ、６００Ｃ等）がノベルティ配布サーバ装置７００に対し、ネットワークを介してリクエストする際に、それぞれの電子商取引のサービス主体の識別子を付加して通知することによってなされる。ノベルティ配布サーバ装置７００は電子商取引のサービス主体毎にデータベースを持っており（例えばＡ店用に７２１Ａ、７２２Ａ、７２３Ａ、Ｂ店用に７２１Ｂ、７２２Ｂ、７２３Ｂ等）、このサービス主体の識別子によって、使用するデータベースを選択し、対応するサービス主体の会員に対して、対応するサービス主体のノベルティを付与することができる。
【００７０】
（第３の実施形態）
図２７は、第３の実施形態における電子ノベルティ付与機能（多サーバ対応型）−２の全体構成を示すブロック図である。第２の実施形態の改良型と同様に単独のノベルティ配布サーバ装置７００が複数の電子商取引サーバ装置６００（６００Ａ、６００Ｂ、６００Ｃ等）とネットワークを介して情報をやり取りし、ノベルティを配布するものである。ノベルティとしての対象商品はネットワーク上でのダウンロードにより商品が引き渡されるデジタルコンテンツに限られる。
【００７１】
この実現には、ノベルティ配布サーバ装置７００側のノベルティ付与情報７２４とノベルティ利用権利情報７２５およびノベルティ対象商品テーブルに、電子商取引のサービス主体の識別子（電子商取引業者ＩＤ欄）を付加するとともに、複数の電子商取引サーバ装置６００（６００Ａ、６００Ｂ、６００Ｃ等）がノベルティ配布サーバ装置７００に対し、ネットワークを介してリクエストする際に、それぞれの電子商取引のサービス主体の識別子を付加して通知することによってなされる。
【００７２】
図２８は、第３の実施形態におけるノベルティ付与情報７２４の構成を示す図であり、電子ノベルティ付与機能付書店サーバ装置１００が持つノベルティ付与情報１２２の各レコード毎に電子商取引業者ＩＤの項目が付加されたフォーマットをしている。この電子商取引業者ＩＤを持つことにより、一つのテーブルで複数の電子商取引サービスに対応することができる。
【００７３】
図２９は、第３の実施形態におけるノベルティ利用権利情報７２５の構成を示す図であり、電子ノベルティ付与機能付書店サーバ装置１００が持つノベルティ付与情報１２３の各レコード毎に電子商取引業者ＩＤの項目が付加されたフォーマットをしている。この電子商取引業者ＩＤを持つことにより、一つのテーブルで複数の電子商取引サービスに対応することができる。また、ここに登録されたノベルティに対応する電子コンテンツのダウンロードが可能となる。
【００７４】
第２の実施形態によれば、ノベルティ配布サーバ装置７００は、電子商取引サービスのサーバ装置とは独立して作動する。このため、該電子商取引サービスに向けたノベルティの配布に対して、電子商取引サービスとは独立したサーバ装置で対応可能となる。
【００７５】
第２の実施形態の改良型によれば、ノベルティ配布サーバ装置７００は、電子商取引サービスのサーバ装置６００とは独立したサーバ装置で対応可能となる。更に、ノベルティ配布サーバ装置７００は電子商取引サービスのサーバ装置６００と一対一で対応する必要はなく、複数の電子商取引サービスのサーバ装置に対し、一台のノベルティ配布サーバ装置で対応可能となる。
【００７６】
第３の実施形態によれば、ノベルティ配布サーバ装置７００は、電子商取引サービスのサーバ装置とは独立して作動するとともに、電子商取引ＩＤ情報を内包したノベルティ付与情報７２４とノベルティ利用権利情報７２５を持っている。このため、複数の電子商取引サービスに向けたノベルティの配布に対して、一つのサーバ装置で、より正確には一つのデータベースで対応可能となる。
【００７７】
第１、第２及び第３の実施形態によれば、電子商取引におけるノベルティの授受サービスについて、既存のサービスに付加する形でノベルティ提供手段を設けることにより、顧客に対し新たな負荷を掛けることなく通常のノベルティ以外の商品の購入と同様の平易な操作でそれらのノベルティを獲得できる。
【００７８】
第２、第３の実施形態において、必ずしも電子商取引サービスのサーバ装置６００がノベルティを保有する必要はなく、ノベルティ配布サーバ装置７００がノベルティを保有していてもよい。図３０を用いて、このようなノベルティ配布サーバ装置７００が保有しているノベルティを電子商取引サービスのサーバ装置６００が提供する場合を説明する。会員端末からのノベルティのダウンロードのリクエスト（Ｓ３８１）に基づいて、サーバ装置６００はノベルティ配布サーバ装置７００に対し、該ノベルティのダウンロード先アドレスを問い合わせする（Ｓ３８３）。ノベルティ配布サーバ装置７００は、ノベルティアドレス提示手段７３３を起動し、電子商取引サービスのサーバ装置６００の問い合わせに応じて、指定されたノベルティのダウンロード先アドレスを電子商取引サービスのサーバ装置６００に返信する（Ｓ３８４）。サーバ装置６００は、その他の取引機能提供手段６３８を介して通常取引によるコンテンツの配布と同様の手順で会員端末にコンテンツを配信する（Ｓ３８２）。
【００７９】
本願の第１ないし第３の発明は、上記の実施例に限定されることなく、特許請求の範囲内で種々変更、応用が可能である。例えば、本実施例では公開されたインターネットでの利用を事例に挙げているが特にクローズした電子取引のネットワークでも構わない。あるいはユーザ端末として電子ブック等の限定した端末向けに限定しても同様に本発明の実施をすることが可能である。
【符号の説明】
【００８０】
１００  電子ノベルティ付与機能付書店サーバ装置
１０１  制御部
１０２  記憶部
１０３  周辺機器Ｉ／Ｆ部
１０４  入力部
１０５  表示部
１０６  通信部
１１０  送受信手段
１２０  制御手段
１２１  会員ＤＢ（データベース）
１２２  ノベルティ付与情報
１２３  ノベルティ利用権利情報
１２４  書誌情報ＤＢ（データベース）
２０１、２０２  ユーザ端末、会員端末
４００  コンテンツダウンロードサーバ装置
５００  ネットワーク
６００  （電子商取引の）サーバ装置
６２１  （電子商取引のサーバ装置における）会員情報ＤＢ（データベース）
６２２  （電子商取引のサーバ装置における）書誌情報ＤＢ（データベース）
６２９  抽出会員情報
７００  ノベルティ配布サーバ装置
７２１  （第２の実施形態による）ノベルティ付与情報
７２２  （第２の実施形態による）ノベルティ利用権利情報
７２３  ノベルティ対象商品テーブル
７２４  （第３の実施形態による）ノベルティ付与情報
７２５  （第３の実施形態による）ノベルティ利用権利情報
【図１】
2013047928.tif 000003
【図２】
2013047928.tif 000004
【図３】
2013047928.tif 000005
【図４】
2013047928.tif 000006
【図５】
2013047928.tif 000007
【図６】
2013047928.tif 000008
【図７】
2013047928.tif 000009
【図８】
2013047928.tif 000010
【図９】
2013047928.tif 000011
【図１０】
2013047928.tif 000012
【図１１】
2013047928.tif 000013
【図１２】
2013047928.tif 000014
【図１３】
2013047928.tif 000015
【図１４】
2013047928.tif 000016
【図１５】
2013047928.tif 000017
【図１６】
2013047928.tif 000018
【図１７】
2013047928.tif 000019
【図１８】
2013047928.tif 000020
【図１９】
2013047928.tif 000021
【図２０】
2013047928.tif 000022
【図２１】
2013047928.tif 000023
【図２２】
2013047928.tif 000024
【図２３】
2013047928.tif 000025
【図２４】
2013047928.tif 000026
【図２５】
2013047928.tif 000027
【図２６】
2013047928.tif 000028
【図２７】
2013047928.tif 000029
【図２８】
2013047928.tif 000030
【図２９】
2013047928.tif 000031
【図３０】
2013047928.tif 000032